(57)【要約】【課題】  多量のデータを書き込み可能な記憶媒体をセキュリティを高めた状態で用いることができる遊技機を提供する。【解決手段】  記憶媒体２５ａに書き込まれたデータを読み出す読出装置２５は、記憶媒体２５ａの専用ユニットとして構成される。データ変換回路２４は、読出装置２５で読み出した記憶媒体２５ａに書き込まれているデータを、ＶＤＰ２３が読み取り可能にＲＡＭ２４ｂに書き込む。主制御回路１１は、入力信号に基づいて表示制御回路２１、音制御回路３１、ランプ制御回路４１にコマンド信号を出力する。表示制御回路２１は、入力されたコマンド信号に基づいてＶＤＰ２３に表示指示情報を出力する。ＶＤＰ２３は、入力された表示指示情報に基づいて、ＲＡＭ２４ｂに書き込まれているデータを読み出し、画像情報を表示装置２６に出力する。【選択図】    図１
2005087319.tif 000002
【特許請求の範囲】
【請求項１】
データが書き込まれた記憶媒体と、記憶媒体から読み出したデータを用いて遊技機の遊技動作を制御する制御手段とを備える遊技機であって、
前記記憶媒体として読み取り専用の記憶媒体を用いるとともに、前記記憶媒体を装着可能であり、装着された記憶媒体に書き込まれているデータを読み出し可能な読出手段を備え、前記読出手段を前記記憶媒体の専用ユニットとして構成した、
遊技機。
【発明の詳細な説明】
【技術分野】
【０００１】
本発明は、パチンコ機等の遊技機に関する。
【背景技術】
【０００２】
パチンコ機等の遊技機では、遊技の進行に伴って演出を実行している。例えば、パチンコ機では、抽選条件が成立すると、抽選を行い、抽選結果に応じた演出動作を表示装置、スピーカやランプを用いて行っている。ここで、表示装置に抽選結果に応じて図柄やキャラクタ等を変動表示させる場合、処理負担を軽減するとともに、処理時間を短縮するために、図柄やキャラクタを表示装置に変動表示させるための演出用データが書き込まれた記憶回路（記憶媒体）を用いている。従来の遊技機では、演出用データが書き込まれた記憶回路として、ＲＯＭチップが用いられている。（特許文献１参照）
【特許文献１】特開２００２−１７７５２２号公報
【０００３】
従来の遊技機の概略構成図を図４に示す。
従来の遊技機には、主制御基板１１０に配設されている主制御回路１１１、表示制御基板１２０に配設されている表示制御回路１２１、音制御基板１３０に配設されている音制御回路１３１、ランプ制御基板１４０に配設されているランプ制御回路１４１、液晶表示装置等の表示装置１２６、スピーカ１３６、ＬＥＤ等のランプ１４６等を備えている。
また、表示制御基板１２０には、表示装置１２６に演出用の画像を表示するための画像情報を形成するＶＤＰ（Video  Display  Processor）１２３、演出用の画像を形成する図柄、キャラクタ、背景画像等のデータ（演出用データ）が書き込まれたＲＯＭ（通常、ＲＯＭチップが用いられる）１２４が配設されている。
主制御回路１１１は、始動信号や入賞信号等の入力信号と記憶回路１１２に書き込まれている制御プログラム等に基づいてコマンド信号を出力する。例えば、表示制御回１２１に表示コマンド信号を出力し、音制御回路１３１に音コマンド信号を出力し、ランプ制御回路１４１にランプ制御信号を出力する。
表示制御回路１３１は、入力された表示コマンド信号と記憶回路１２２に記憶されている制御プログラム等に基づいて、表示指示情報をＶＤＰ１２３に出力する。ＶＤＰ１２３は、入力された表示指示情報に基づいて、ＲＯＭチップ１２４から図柄、キャラクタ、背景画像等の演出用データを読み出し、読み出した演出用データにより演出用の画像を表示するための画像情報を形成し、表示装置１２６に出力する。
音制御回路１４１は、入力された音コマンド信号に基づいて、音制御信号を記憶回路１３２から読み出し、音源ＩＣ１３３を介してスピーカ１３６に出力する。
ランプ制御回路１５１は、入力されたランプコマンド信号に基づいて、ランプ制御信号を記憶回路１４２から読み出し、ランプ駆動回路１４３を介してランプ１４６に出力する。
【発明の開示】
【発明が解決しようとする課題】
【０００４】
近年、遊技機で実施する演出内容が複雑化しており、それに伴って記憶媒体に書き込まれるデータ（例えば、演出用データ）の量が増大する傾向にある。しかしながら、従来の遊技機では、データが書き込まれる記憶媒体としてＲＯＭチップを用いているため、記憶媒体に書き込み可能なデータ量には限界がある。
一方、多量のデータを書込可能な記憶媒体として、ＣＤ等の光学式記憶媒体、ハードディスク等の磁気式記憶媒体、ＭＯ等の光磁気式記憶媒体等が知られている。そこで、このような記憶媒体を遊技機のデータを記憶する記憶媒体として使用することが考えられる。
しかしながら、遊技機では、記憶媒体への不正なデータの書き込みや不正なデータが書き込まれた記憶媒体への交換等の不正に対するセキュリティが高いことが要求される。このため、データの書き換えが可能な磁気式記憶媒体や光磁気式記憶媒体は、遊技機の記憶媒体として適していない。
また、光学式記憶媒体は、読み取り専用に形成することによって、光学式記憶媒体への不正なデータの書き込みに対するセキュリティを高くすることができる。しかしながら、光学式記憶媒体に書き込まれているデータを読み出す読出装置は、通常、複数の光学式記憶媒体に書き込まれているデータを読み出し可能とするために、簡単に光学式記憶媒体を読み出し装置に装着あるいは読み出し装置から取り出すことができるように構成されている。このため、不正な光学式記憶媒体の交換に対するセキュリティの問題により、通常の読出装置を用いることができない。
そこで、本発明が解決する課題は、多量のデータを書き込み可能な記憶媒体をセキュリティを高めた状態で用いることができる遊技機を提供することである。
【課題を解決するための手段】
【０００５】
前記課題を解決するための本発明の第１発明は、請求項１に記載されたとおりの遊技機である。
請求項１に記載の遊技機は、読み取り専用の記憶媒体と、記憶媒体を装着可能であり、装着された記憶媒体に書き込まれているデータを読み出し可能な読出手段とを備え、読出手段を記憶媒体の専用ユニットとして構成している。
ここで、「読出手段を記憶媒体の専用ユニットとして構成する」という記載は、読出手段に装着されている記憶媒体を、一般的に用いられている読出手段の取り出し操作（記憶媒体を読出手段に装着あるいは読出手段から取り出すローディング機構を作動させる操作）では読出手段から取り出すことができないように、記憶媒体と読出手段を一体のユニットとして構成することを意味する。例えば、ローディング機構が設けられていない読出手段あるいはローディング機構の作動が禁止された読出手段に記憶媒体が装着されている状態を意味する。また、本発明の読出手段は、遊技動作を制御する制御手段とは別の手段である。
【発明の効果】
【０００６】
請求項１に記載に遊技機では、多量のデータを書き込み可能な記憶媒体を用いているため、制御手段は、多量のデータを必要とする種々の遊技動作を制御することができる。そして、本発明では、読み取り専用の記憶媒体を用いているため、記憶媒体への不正なデータの書き込みに対するセキュリティを高めることができる。さらに、記憶媒体を装着可能であり、装着された記憶媒体に書き込まれているデータを読み出す読出手段を記憶媒体の専用ユニットとして構成しているため、不正な記憶媒体への交換に対するセキュリティを高めることができる。
【発明を実施するための最良の形態】
【０００７】
まず、本発明の概要を説明する。
前述したように、遊技機で用いる記憶媒体として、ＲＯＭチップより多量のデータが書き込み可能であり、不正なデータの書き換えによる不正遊技を防止することができる記憶媒体が望まれている。
このような条件を満足する記憶媒体として、例えば、読み取り専用の光学式記憶媒体が考えられる。読み取り専用の光学式記録媒体としては、ＤＶＤ−ＲＯＭやＣＤ−ＲＯＭ等が知られている。また、不正な書き換えを防止する、すなわち、書き換えができないという観点からは、1回に限りデータの書き込みが可能なＤＶＤ−ＲやＣＤ−Ｒもこのような条件を満足している。
本明細書中の「読み取り専用の記憶媒体」は、ＤＶＤ−ＲＯＭやＣＤ−ＲＯＭのように書き込みができない記憶媒体だけでなく、ＤＶＤ−ＲやＣＤ−Ｒのように１回のデータの書込はできるが、データの書き換えができない記憶媒体も含まれる。
【０００８】
また、前述したように、不正な記憶媒体への交換による不正遊技を防止することができることが望まれている。
このような条件を満足する方法として、記憶媒体が装着可能であり、装着された記憶媒体に書き込まれているデータを読み出す読出手段を、記憶媒体の専用ユニットとして構成する方法が考えられる。「読出手段を記憶媒体の専用ユニットとして構成する」という記載は、読出装置に装着されている記憶媒体を、一般的に用いられている読出手段の取り出し操作では読出手段から取り出すことができないように、記憶媒体と読出手段を一体のユニットとして構成することを意味する。例えば、ローディング機構が設けられていない読出手段あるいはローディング機構の作動が禁止された読出手段に記憶媒体が装着されている状態を意味する。
【０００９】
ここで、記憶媒体として読み取り専用の記憶媒体を用いた場合でも、記憶媒体に不正なデータが書き込まれる可能性があり、また、読出装置を記憶媒体の専用ユニットとして構成した場合でも、不正な記憶媒体に交換される可能性がある。そこで、記憶媒体に不正なデータが書き込まれた場合あるいは不正な記憶媒体に交換された場合の対策を講じておくのが好ましい。
例えば、遊技媒体に、当該遊技媒体の専用ユニットとして構成されている読出装置を確認する確認用データあるいは当該記憶媒体に対応する制御手段を確認する確認用データを書き込み、読出装置で読み取った記憶媒体に記憶されている確認用データに基づいて記憶媒体が不正な記憶媒体であるか否かを判定する方法を用いることができる。
あるいは、不正な記憶媒体に交換された場合には、記憶媒体に書き込まれているデータを読出装置によって読み出すことができないようにする方法を用いることができる。
例えば、成形時に凹凸によってデータを書き込むＤＶＤ−ＲＯＭやＣＤ−ＲＯＭの反射面の反射率と、レーザーで色素等を変化させてデータを書き込むＤＶＤ−ＲやＣＤ−Ｒの反射面の反射率が異なっている場合がある。このため、通常使用されている読出装置では、ＤＶＤ−ＲＯＭやＣＤ−ＲＯＭだけでなくＤＶＤ−ＲやＣＤ−Ｒに書き込まれているデータも読み出すことができるように読出特性が設定されている。例えば、いずれの反射率であってもデータを読み出すことができるように、データ読出部を構成するレーザー発光器から発光されるレーザー光の強度や、レーザー受光器で受光可能なレーザー光の受光強度等が設定されている。
ここで、例えば、記憶媒体としてＤＶＤ−ＲＯＭやＣＤ−ＲＯＭを用いる場合には、読出装置の読出特性を、ＤＶＤ−ＲＯＭやＣＤ−ＲＯＭの表面の反射率に対応した読出特性に設定することにより、ＤＶＤ−ＲＯＭやＣＤ−ＲＯＭが、不正なデータが書き込まれたＤＶＤ−ＲやＣＤ−Ｒに交換される不正に対するセキュリティを高めることができる。
本発明の、不正データの書き換えや不正な記憶媒体への交換に対する詳細及び他の対策方法は、以下に記載されている。
【００１０】
以下に、本発明の実施の形態を図面を参照して説明する。
図１に、本発明の一実施の形態の概略構成図を示す。本実施の形態は、本発明をパチンコ機に適用したものである。
本実施の形態は、主制御回路１１と、表示制御回路２１、音制御回路３１、ランプ制御回路４１等の被制御機器制御回路と、表示装置２６、スピーカ３６、ランプ４６等の被制御機器を有している。
【００１１】
主制御回路１１は、ＲＯＭやＲＡＭ等の記憶回路１２とともに主制御基板１０に配設されている。記憶回路１２には、当たり判定用の乱数プログラム、当たり変動パターン用の乱数プログラム、当たり図柄用の乱数プログラム、はずれ変動パターン用の乱数プログラム、はずれ図柄用の乱数プログラム、主制御回路１１の制御プログラム等が記憶されている。
主制御回路１１は、入力信号（始動信号や入賞信号）と記憶回路２２に記憶されている制御プログラム等に基づいて種々のコマンド信号を出力する。例えば、遊技媒体が始動入賞口に入賞して始動信号が入力されると（抽選条件が成立すると）、当たり判定用の乱数を読み取り、読み取った当たり判定用の乱数が所定値（当たり値）であるか否かを判定する。当たり判定用の乱数が所定値（当たり値）である場合には、当たり変動パターン用の乱数及び当たり図柄用の乱数を読み取る。一方、読み取った当たり判定用の乱数が所定値（当たり値）でない場合には、はずれ変動パターン用の乱数及びはずれ図柄用の乱数を読み取る。そして、変動パターン（当たり変動パターン用の乱数に対応する当たり変動パターンあるいははずれ変動パターン用の乱数に対応するはずれ変動パターン）を示す変動パターンコマンド信号と図柄（当たり図柄用の乱数に対応する当たり図柄あるいははずれ図柄用の乱数に対応するはずれ図柄）を示す図柄コマンド信号を出力する。
また、変動パターンコマンド信号を出力した後、変動パターンコマンド信号で示されている変動パターンの変動時間に対応する時間が経過した時点で、停止コマンド信号（確定コマンド信号）を出力する。さらに、当たり判定用乱数が所定値（当たり値）である場合には、停止コマンド信号を出力してから所定の停止時間が経過した時点で、大当たり演出開始コマンド信号を出力する。同時に、大入賞口を開閉する大入賞口開閉部材を駆動制御して、遊技者に有利な特別遊技状態を発生させる。
【００１２】
表示制御回路２１は、ＲＯＭやＲＡＭ等の記憶回路２２、ＶＤＰ２３、データ変換回路２４等とともに表示制御基板２０に配設されている。記憶回路２２には、表示制御回路２１の制御プログラム等が記憶されている。
また、記憶媒体（本実施の形態では、ＤＶＤ−ＲＯＭ）２５ａを装着可能であり、装着された記憶媒体２５ａに書き込まれているデータ（本実施の形態では、表示装置２６に図柄、キャラクタ、背景画像等を表示させるための演出用データ）を読み出す読出装置２５が、表示制御基板２０と別ユニットで設けられている。そして、この読出装置２５と表示制御基板２０は、表示制御基板２０に設けられている端子２０ａに接続可能なコネクタＣ１と、読出装置２５に設けられている端子に接続可能なコネクタＣ２を有する接続ケーブルＬによって接続されている。
【００１３】
データ変換回路２４は、処理手段としてのＣＰＵ２４ａ、記憶媒体２５ａから読み出したデータを書き込む記憶手段としてのＲＡＭ２４ｂ、データ変換処理プログラム等が書き込まれている記憶手段としてのＲＯＭ２４ｃ等により構成されている。このデータ変換回路２４は、読出装置２５で読み出した、記憶媒体２５ａに書き込まれているデータ（演出用データ）を、ＶＤＰ２３が読み取り可能にＲＡＭ２４ｂに書き込む。例えば、記憶媒体２５ａに記憶されているデータの形式をＶＤＰが読み取り可能な形式に変換する処理や、動画データが記憶されている場合には、単位時間当たりのコマ数をＶＤＰの処理速度に適合させるための処理等を実行する。
記憶媒体２５ａに書き込まれている演出用データのＲＡＭ２４ｂへの書き込みは、例えば、電源投入時毎に行うことができる。ここで、ＲＡＭ２４ｂにデータを書き込んだ状態が長時間継続すると、ＲＡＭ２４ｂに書き込まれたデータが変化する場合がある。このため、例えば、所定期間毎等に、読出装置２５により記憶媒体２５ａに書き込まれているデータを読み出してＲＡＭ２４ｂに書き込む方法を用いるのが好ましい。あるいは、読出装置２５で読み出した記憶媒体２５ａに記憶されているデータをＲＡＭ２４ｂへ書き込む処理と、ＶＤＰ２３がＲＡＭ２４ｂからデータを読み出す処理を同期させて行うようにすることもできる。
なお、ＶＤＰ２３が、読出装置２５が読み出した記憶媒体２５ａに書き込まれているデータを読み取ることができる場合には、データ変換回路２４を省略することができる。
表示制御回路２１は、入力されたコマンド信号（例えば、変動パターンコマンド信号と図柄コマンド信号）と記憶回路２２に記憶されている制御プログラムに基づいて、表示装置２６に表示する表示指示情報をＶＤＰ２３に出力する。
ＶＤＰ２３は、入力された表示指示情報に基づいて、記憶媒体２５ａから読み出されてＲＡＭ２４ｂに書き込まれている図柄、キャラクタ、背景画像等の演出用データを読み出し、読み出した演出用データにより形成される画像情報を表示装置２６に出力することによって、表示装置２６に演出用の画像を表示する。
【００１４】
音制御回路３１は、ＲＯＭやＲＡＭ等の記憶回路３２、音源ＩＣ３３等とともに音制御基板３０に配設されている。記憶回路３２には、音制御回路３１の制御プログラム等が記憶されている。
音制御回路３１は、入力されたコマンド信号に基づいて、音指示情報を音源ＩＣ３３に出力する。音源ＩＣ３３は、音指示情報に応じた音信号をスピーカ３６に出力することによって、表示装置２６に表示される演出用の画像に対応した音を発生させる。
ランプ制御回路４１は、ＲＯＭやＲＡＭ等の記憶回路４２、ランプ駆動回路４３等とともにランプ制御基板４０に配設されている。記憶回路４２には、ランプ指示制御回路４１の制御プログラム等が記憶されている。
ランプ制御回路４１は、入力されたコマンド信号に基づいて、ランプ指示情報を、ランプ駆動回路４３に出力する。音源ＩＣ３３は、ランプ指示情報に応じたランプ制御信号をランプ４６に出力することによって、表示装置２６に表示される演出用の画像に対応した光を発生させる。
【００１５】
次に、読出装置２５について詳述する。
通常の読出装置は、複数の記憶媒体に書き込まれているデータを読み取り可能とするために、記憶媒体を読出手段に装着あるいは記憶媒体を読出手段から取り出すためのローディング機構を用いている。すなわち、読出装置は、記憶媒体を交換可能に構成されている。
しかしながら、遊技機では、セキュリティの問題から、読出装置を、記憶媒体を交換可能に構成することができない。そのため、本実施の形態では、セキュリティを高めるために、読出装置２５を記憶媒体２５ａの専用ユニットとして構成している。読出装置２５を記憶媒体２５ａの専用ユニットとして構成する方法としては種々の方法を用いることができる。
例えば、通常の読出装置に用いられているローディング機構を省略し、記憶媒体２５ａを装着する装着部に開口部を設けた読出装置２５を構成し、装着部に記憶媒体２５ａを装着した後、開口部を蓋部材で覆う方法を用いることができる。この方法を用いると、ローディング機構に用いられていたトレーやトレーを駆動するモータ等が不要となるため、読出装置を安価に、小型に構成することができる。
あるいは、ローディング機構の作動を不能とする方法を用いることができる。この方法を用いる場合には、例えば、市販の読出装置に設けられているローディング機構を用いて記憶媒体２５ａを読出装置２５に装着した後、ローディング機構を作動不能とする。例えば、トレーを駆動するモータの駆動回路を遮断することによって作動不能とし、あるいはトレーを接着剤で接着することによって作動不能とする。
なお、記憶媒体２５ａの専用ユニットとして構成した読出装置２５を再利用してもよい。例えば、読出装置２５の装着部の開口部を覆っている蓋部材を取り外し、記憶媒体２５ａを交換した後、再度装着部の開口部を蓋部材で覆うことによって、読出装置２５を再利用する。
【００１６】
また、同一の遊技機に設けられる記憶媒体２５ａと読出装置２５の対応関係を確認することによって、読出装置２５を記憶媒体２５ａの専用のユニットとして構成する方法を用いることもできる。
例えば、記憶媒体２５ａに、当該記憶媒体２５ａの専用のユニットとして構成された読出装置２５を確認する確認用データを書き込んでおく。また、読出装置２５で読み出した記憶媒体２５ａ（読出装置２５に装着されている記憶媒体２５ａ）に書き込まれている確認用データに基づいて（例えば、確認用データが所定データと一致するか否かを判別することによって）、読出装置２５が、確認用データを読み出した記憶媒体の専用のユニットとして構成されている読出装置であるか否か、すなわち、読出装置２５が、読出装置２５に装着されている記憶媒体２５ａに対応する読出装置であるか否かを判定する判定手段を設ける。
そして、例えば、電源投入時や電源投入後の所定期間毎等に、記憶媒体２５ａに書き込まれている確認用データを読出装置２５で読み出し、読み出した確認用データに基づいて、読出装置２５が、読出装置２５に装着されている記憶媒体２５ａに対応する読出装置であるか否かを判定手段で判定する。判定手段は、読出装置２５が、読出装置２５に装着されている記憶媒体２５ａに対応する読出装置であることを判定した場合には、表示制御回路２１による演出動作の制御を許可し、読出装置２５が、読出装置２５に装着されている記憶媒体２５ａに対応する読出装置でないことを判定した場合には、表示制御回路２１による演出動作の制御を禁止する。
このような判定手段を設けることにより、記憶媒体２５ａが不正に交換されたことを検出することができる。
なお、読出装置２５が記憶媒体２５ａに対応する読出手段であるか否かを判定することは、記憶媒体２５ａが読出手段２５に対応する記憶媒体であるか否かを判定することと同義である。
【００１７】
以上では、読出装置２５と、読出装置２５に装着される記憶媒体２５ａとの対応関係を予め定めておき、読出装置と読出装置に装着されている記憶媒体の対応関係が予め定められている対応関係と一致するか否かを判定手段で判定したが、記憶媒体２５ａと表示制御回路２１との対応関係を予め定めておき、読出装置に装着されている記憶媒体と表示制御回路の対応関係が予め定められている対応関係と一致するか否かを判定手段で判定してもよい。
例えば、記憶媒体２５ａに、当該記憶媒体２５ａに対応する表示制御回路２１を確認する確認用データを書き込んでおく。また、読出装置２５で読み出した記憶媒体２５ａ（読出装置２５に装着されている記憶媒体２５ａ）に書き込まれている確認用データに基づいて（例えば、確認用データが所定データと一致するか否かを判別することによって）、確認用データを読み出した記憶媒体２５ａが表示制御回路２１に対応する記憶媒体であるか否かを判定する判定手段を設ける。
そして、例えば、電源投入時や電源投入後の所定期間毎等に、記憶媒体２５ａに書き込まれている確認用データを読出装置２５で読み出し、読み出した確認用データに基づいて、読出装置２５に装着されている記憶媒体２５ａが、表示制御回路２１に対応する記憶媒体であるか否か（記憶媒体２５ａと表示制御回路２１との対応関係）を判定手段で判定する。判定手段は、記憶媒体２５ａが表示制御回路２１に対応する記憶媒体であることを判定した場合には、表示制御回路２１による演出動作の制御を許可し、記憶媒体２５ａが表示制御回路２１に対応する記憶媒体２５ａでないことを判定した場合には、表示制御回路２１による演出動作の制御を禁止する。
このような判定手段を設けることにより、記憶媒体２５ａが不正に交換されたことを検出することができる。
なお、記憶媒体２５ａが表示制御回路２１に対応する記憶媒体であるか否かを判定することは、表示制御回路２１が記憶媒体２５ａに対応する表示制御回路であるか否かを判定することと同義である。
【００１８】
また、読出装置２５と表示制御回路２１との対応関係を予め定めておき、読出装置と表示制御回路の対応関係が予め定められている対応関係と一致するか否かを判定手段で判定してもよい。
例えば、読出装置２５に、読出装置２５に対応する表示制御回路２１（あるいはＶＤＰ２３）または表示制御回路２１（あるいはＶＤＰ２３）に対応する読出装置２５を確認する確認用データを記憶させておき、記憶媒体２５ａから読み出した演出データを確認用データと共にＲＡＭ２４ｂに出力させる。また、読出装置２５からデータと共に出力された確認用データに基づいて、読出装置２５が表示制御回路２１（あるいはＶＤＰ２３）に対応する読出装置であるか否かを判定する判定手段を設ける。
判定手段は、前記した適宜の時期に確認用データに基づいて判定を行い、読出装置２５が表示制御回路２１（あるいはＶＤＰ２３）に対応する読出装置であることを判定した場合には表示制御回路２１による演出動作の実行を許可し、読出装置２５が表示制御回路２１（あるいはＶＤＰ２３）に対応する読出装置でないことを判定した場合には表示制御回路２１による演出動作を禁止する。
なお、読出装置２５が表示制御回路２１（あるいはＶＤＰ２３）に対応する読出装置２５であるか否かを判定することは、表示制御回路２１（あるいはＶＤＰ２３）が読出装置２５に対応する表示制御回路２１（あるいはＶＤＰ２３）であるか否かを判定することと同義である。
このような判定手段を設けることにより、記憶媒体２５ａと読出装置２５あるいは読出装置２５が不正に交換されたことを検出することができる。
【００１９】
確認用データを用いて対応関係（記憶媒体２５ａと読出装置２５との対応関係、記憶媒体２５ａと表示制御回路２１との対応関係、読出装置２５と表示制御回路２５との対応関係）を判定する方法としては種々の方法を用いることができる。
例えば、記憶媒体２５ａに第１の確認用データを書き込むとともに、読出装置２５あるいは表示制御回路２１側に第１の確認用データと所定関係にある第２の確認用データを記憶させ、記憶媒体２５ａから読み出した第１の確認用データと読出装置２５あるいは表示制御回路２１側に記憶されている第２の確認用データが所定の関係にあるか否かを判定手段で判定する方法を用いることができる。第１及び第２の確認データとしては、例えば、第１の確認データと第２の確認データによって所定のデータを形成することができるもの、一方の確認用データから算出した判定用データが第２の確認用データと一致するもの、一方の確認用データから算出した判定用データが他方の確認用データから算出した判定用データと一致するもの等を用いることができる。
読出装置２５と表示制御回路２１（あるいはＶＤＰ２３）との対応関係を判定する方法としても、同様の方法を用いることができる。
【００２０】
次に、表示制御回路２１、したがって表示制御基板２０と読出装置２５の配置について詳述する。
表示制御基板２０と読出装置２５は、同じユニットとして構成することもできるし、異なるユニットとして構成することもできる。
異なるユニットとして構成する場合、表示制御基板２０と読出装置２５の配置位置を自由に設定することができるため、各構成要素の配設が容易となる。ただし、この場合には、図１、図３に示すように、表示制御基板２０と読出装置２５を接続ケーブルＬで接続する必要がある。
ここで、パチンコ機の概略図を図２に示す。パチンコ機は、遊技店の島に設置される外枠５１と、外枠５１に回動可能に取り付けられる内枠５２と、内枠５２に回動可能に取り付けられるガラス枠５３を有している。遊技盤は、内枠５２あるいは内枠５２に取り付けられた遊技盤取付枠に着脱自在に取り付けられている。これにより、機種変更等に対し、遊技盤を交換することによって対処することができる。なお、図２では、遊技盤が装着されていない状態を示している。
主制御回路１１や表示制御回路２１等は、遊技盤と密接に関係するため、遊技盤側に配置するのが好ましい。なお、遊技盤側に配置するという記載は、遊技盤に配置する場合だけでなく、遊技盤に取り付けられた遊技盤取付部材等に配置する場合も含む。一方、読出装置２５は、機種変更等によって遊技盤が交換されても共通に使用することができるため、内枠５２側に配置するのが好ましい。なお、内枠５２側に配置するという記載は、内枠５２に配置する場合だけでなく、内枠５２に取り付けられた機構板等に配置する場合も含む。
【００２１】
ところで、本実施の形態では、読出装置２５を記憶媒体２５ａの専用のユニットとして構成しているため、すなわち、読出装置２５に装着された記憶媒体２５ａは通常の使用状態では取り出すことがないため、読出装置２５や記憶媒体２５に対する不正防止（セキュリティ）の観点から、読出装置２５を開封防止手段を有する箱体に収納するのが好ましい。また、表示制御回路２１に対する不正防止の観点から、表示制御基板２０を開封防止手段を有する箱体に収納するのが好ましい。この場合、読出装置２５と表示制御基板２０の双方を箱体に収納してもよいし、いずれか一方を箱体に収納してもよい。
読出装置２５と表示制御基板２０を、開封防止手段を有する共通の箱体に収納する場合には、読出装置２５と表示制御基板２０との間の接続ケーブルを箱体を通す必要がないため、セキュリティが一層高まる。
【００２２】
一方、読出装置２５と表示制御基板２０の一方を開封防止手段を有する箱体に収納する場合には、読出装置２５と表示制御基板２０を接続する接続ケーブルの取り回しを考慮する必要がある。
表示制御基板２０を開封防止手段６１を有する箱体に収納した状態を図３に示す。
箱体６０は、ケース部６０ａとカバー部６０ｂにより構成されている。ケース部６０ａとカバー部６０ｂは、例えば、内部の状態を視認可能な透明性を有する樹脂によって形成される。
箱体６０（ケース部６０ａとカバー部６０ｂ）の開封を防止する開封防止手段６１は、ケース部６０ａ及びカバー部６０ｂに設けられた封印ボス部６２ａ及び６２ｂと、封印ボス部６２ａ及び６２ｂに設けられた中空状のビス保持部６３ａ及び６３ｂと、ビス保持部６３ａと６３ｂの中空部に挿入されるビス（図示省略）により構成されている。ビス保持部６３ａと６３ｂの中空部にビスを挿入することによって、箱体６０が封印される。
【００２３】
本実施の形態では、ビスが挿入されるビス保持部６３ａと６３ｂの組を複数個設けている。また、封印ボス部は、ビス保持部６３ａと６３ｂの組毎に取り外せるように、少なくとも一部が破壊可能に形成されている。これにより、いずれかのビス保持部６３ａと６３ｂの組にビスを挿入した状態で検査や保守・点検等を行う場合には、封印ボス部の一部を破壊してビスが挿入されているビス保持部６３ａと６３ｂを取り外すことによって、箱体６０の封印状態を解除する。そして、検査や保守・点検を終了した後、他のビス保持部６３ａと６３ｂの組にビスを挿入することによって箱体を再度封印する。
このように構成することにより、容易に封印を解除して作業を行うことができるとともに、所定回数まで再封印を行うことができるので、箱体のコストが低減される。また、不正に封印を解除した場合には、封印ボス部の一部が破壊されるため、不正に封印が解除されたことを容易に判別することができる。
なお、箱体の封印が不正に解除されたことを検出する方法としては、これ以外にも種々の方法を用いることができる。例えば、電気回路を形成しておき、不正に封印が解除されたことにより電気回路が遮断されるように構成することによって、不正に封印が解除されたことを検出する方法を用いることができる。
【００２４】
ケース部６０ａには、表示制御基板２０を位置決めするための位置決めピン６５が設けられている。これにより、表示制御基板２０は、箱体６０内の所定の位置に取り付けられる。
また、読出装置２０と表示制御基板２０を接続する接続ケーブルＬを箱体６０内に導くための挿通部６４がケース部６０ｂに設けられている。なお、接続ケーブルＬを挿通する挿通部６４は、セキュリティの観点から、できるだけ小さい方が好ましい。さらに、挿通部６４を介して不正が行われるのを防止するために、箱体６０内部の、挿通部６４の近傍に不正防止部材７０を設けている。接続ケーブルＬは、不正防止部材７０を越えて配線されている。この不正防止部材７０により、挿通部６４を介して不正が行われるのを防止することができる。
また、接続ケーブルの先端部には、コネクタＣ１が設けられている。コネクタＣ１は、箱体６０内部において表示制御基板２０に接続されている。このように、接続ケーブルＬのコネクタを箱体６０内部で表示制御基板２０に接続することにより、不正部品が接続されるのを防止することができる。
なお、読出装置２５を箱体６０に収納する場合、読出装置２５と表示制御基板２０を箱体６０に収納する場合と同様の方法を用いることができる。
読出装置２５と表示制御基板２０を同じ箱体６０に収納する場合には、図３に示した挿入部６４は省略することができるため、セキュリティはより向上する。
【００２５】
本発明は、実施の形態で説明した構成に限定されず、種々の変更、追加、削除が可能である。
例えば、記憶媒体としてＤＶＤ−ＲＯＭやＣＤ−ＲＯＭ、ＤＶＤ−ＲやＣＤ−Ｒを用いる場合について説明したが、本発明で用いる記憶媒体は、読出装置と専用のユニットを構成可能な読み出し専用の記憶媒体であれば種々の記憶媒体を用いることができる。
また、表示装置に演出表示を実施させる演出データが書き込まれる記憶媒体について説明したが、演出データに限定されず、制御装置が使用するデータが書き込まれる記憶媒体に適用することもできる。
また、不正を検出した場合の対処方法としては、制御装置の動作を禁止する方法や、報知手段を用いて報知する方法等の種々の方法を用いることができる。
また、本発明は、明細書中で説明した各構成を単独であるいは任意に組み合わせて用いることができる。
また、読出装置の構成は、装着される記憶媒体の種類等に応じて適宜変更可能である。
また、パチンコ機について説明したが、本発明は、パチンコ機以外の種々の遊技機として構成することができる。
【００２６】
本実施の形態は、以下のように構成することができる。
例えば、「（態様１）請求項1の遊技機であって、前記記憶媒体として読み取り専用の光学式記憶媒体を用いるとともに、前記読出手段として光学式記憶媒体に書き込まれたデータを読み出し可能な読出手段を用いた、遊技機。」として構成することができる。
態様１の遊技機では、記憶媒体として光学式記憶媒体を用い、読出手段として光学式記憶媒体に書き込まれているデータを読み出す読出手段を用いている。
態様１の遊技機では、光学式記憶媒体を用いているため、安価な記憶媒体及び読出手段を用いることができる。
また、「（態様２）請求項１または態様１の遊技機であって、前記読出手段を前記制御手段と別ユニットで構成し、前記読出手段と前記制御手段を接続ケーブルで接続した、遊技機。」として構成することができる。
態様２の遊技機では、読出手段を制御手段と別ユニットで構成している。
態様２の遊技機を用いれば、制御手段と読出手段の配設位置を自由に選択することができる。
また、「（態様３）請求項１、態様１または２のいずれかの遊技機であって、遊技機は、外枠と、外枠に回動可能に取り付けられた内枠と、内枠に着脱可能に取り付けられた遊技盤とを備え、前記読出手段を前記内枠側に配置した、遊技機。」として構成することができる。
なお、内枠側に配置するという記載は、内枠に配置する場合だけでなく、内枠に取り付けられた機構板等に配置する場合も含む。
態様３の遊技機では、読出手段を遊技機の内枠側に配置している。
態様３の遊技機を用いれば、機種変更等によって遊技盤を交換する場合でも、読出手段を交換する必要がない。
また、「（態様４）請求項１、態様１〜３のいずれかの遊技機であって、前記制御手段及び読出手段を、開封防止手段を備えた箱体に収納した、遊技機。」として構成することができる。
態様４の遊技機では、制御手段及び読出手段を、開封防止手段を有する箱体に収納している。
態様４の遊技機を用いれば、制御手段及び読出手段に対する不正を防止することができるとともに、不正が行われたことを容易に判別することができる。
また、「（態様５）請求項１、態様１〜３のいずれかの遊技機であって、前記制御手段または読出手段の少なくとも一方を、開封防止手段を備えた箱体に収納し、前記接続ケーブルを、前記箱体の内部で、当該箱体に収納されている制御手段または読出手段に接続している、遊技機。」として構成することができる。
態様５の遊技機では、制御手段または読出手段の少なくとも一方を、開封防止手段を有する箱体に収納するとともに、箱体の内部で接続ケーブルに接続している。
態様５の遊技機を用いれば、制御手段または読出手段に対する不正を防止することができるとともに、不正が行われたことを容易に判別することができる。なお、接続手段を箱対の挿入部を介して固体内部に挿入する場合には、箱体内部の挿入部付近に接続ケーブルの通過を困難にする不正防止部材を設けるのが好ましい。
また、「（態様６）態様４または５の遊技機であって、前記開封防止手段として、少なくとも一部が破壊可能な開封防止手段が複数個設けられている、遊技機。」として構成することができる。
態様６の遊技機では、少なくとも一部が破壊可能な開封防止手段を複数個設けている。
態様６の遊技機を用いれば、開封防止手段の一部が破壊可能であるため、封印状態であっても検査や保守・点検等を容易に行うことができるとともに、再封印を容易に行うことができる。
また、「（態様７）請求項１、態様１〜６のいずれかの遊技機であって、前記読出手段には、当該読出手段に装着された前記記憶媒体の取り出しを防止する取出防止手段が設けられている、遊技機。」として構成することができる。
態様７の遊技機では、読出手段に装着された記憶媒体の取り出しを防止する取り出し防止手段が設けられている。
態様７の遊技機を用いれば、記憶媒体の読出手段からの取出しが防止されるため、不正な記憶媒体への交換を防止することができる。
また、「（態様８）請求項１、態様１〜７のいずれかの遊技機であって、前記記憶媒体には、当該記憶媒体の専用ユニットを構成している読出手段を確認する確認用データが書き込まれており、さらに、前記読出手段によって記憶媒体から読み出した確認用データに基づいて、当該読出手段が当該確認用データを読み出した記憶媒体の専用ユニットとして構成されたものであることを判定した場合に、前記制御手段による遊技動作の制御を許可する判定手段を備えている、遊技機。」として構成することができる。
なお、読出手段が記憶手段に対応する読出手段であるか否かを判定することは、記憶手段が読出手段に対応する記憶手段であるか否かを判定することと同義であるから、本発明の「読出手段が確認用データを読み出した記憶媒体の専用ユニットとして構成されたものであることを判定する」という記載は、「確認用データを読み出した記憶媒体が、読出手段が専用ユニットとして構成されている記憶媒体であることを判定する」という概念を含んでいる。
態様８の遊技機では、記憶媒体に、記憶媒体と読出装置との対応関係を確認する確認用データが書き込まれているとともに、記憶媒体から読み出した確認用データに基づいて記憶媒体と読出手段との対応関係が予め定められている対応関係と一致していることを判定した場合に制御手段による遊技動作の制御を許可する判定手段を設けている。
態様８の遊技機を用いれば、記憶媒体への不正なデータの書き込みあるいは不正な記憶媒体への交換等による不正を防止することができる。なお、記憶媒体と読出手段との対応関係が予め定められている対応関係と一致しないことを報知する報知手段を設けるのが好ましい。
また、「（態様９）請求項１、態様１〜７のいずれかの遊技機であって、前記記憶媒体には、当該記憶媒体に対応する制御手段を確認する確認用データが書き込まれており、さらに、前記読出手段によって記憶媒体から読み出した確認用データに基づいて、前記制御手段が当該確認用データを読み出した記憶媒体に対応する制御手段であることを判定した場合に、前記制御手段による遊技動作の制御を許可する判定手段を備えている、遊技機。」として構成することができる。
なお、制御手段が記憶手段に対応する制御手段であるか否かを判定することは、記憶手段が制御手段に対応する記憶手段であるか否かを判定することと同義であるから、本発明の「制御手段が確認用データを読み出した記憶媒体に対応する制御手段であることを判定した場合」という記載は、「確認用データを読み出した記憶媒体が制御手段に対応する記憶媒体であることを判定した場合」という概念を含んでいる。
態様９の遊技機では、記憶媒体に、記憶媒体と制御手段との対応関係を確認する確認用データが書き込まれているとともに、記憶媒体から読み出した確認用データに基づいて、記憶媒体と制御手段との対応関係が予め定められている対応関係と一致していることを判定した場合に制御手段による遊技動作の制御を許可する判定手段を設けている。
態様９の遊技機を用いれば、記憶媒体への不正なデータの書き込みあるいは不正な記憶媒体への交換等による不正を防止することができる。なお、記憶媒体と読出手段との対応関係が一致しないことを報知する報知手段を設けるのが好ましい。
また、「（態様１０）請求項１、態様１〜７のいずれかの遊技機であって、前記記憶媒体には、判定データを作成するための確認用データが記憶されており、さらに、前記読出手段によって記憶媒体から読み出した確認用データから判定データを作成する判定データ作成手段と、前記判定データ作成手段で作成された判定データに基づいて、前記読出手段が当該確認用データを読み出した記憶媒体の専用ユニットとして構成されたものであることあるいは前記制御手段が当該確認用データを読み出した記憶媒体に対応する制御手段であることを判定した場合に、前記制御手段による遊技動作の制御を許可する判定手段を備えている、遊技機。」として構成することができる。
なお、読出手段が記憶手段に対応する読出手段であることを判定することは、記憶手段が読出手段に対応する記憶手段であることを判定することと同義であり、また、制御手段が記憶媒体に対応する制御手段であることを判定することは記憶媒体が制御手段に対応する記憶媒体であることを判定することと同義であるから、本発明の「読出手段が確認用データを読み出した記憶媒体の専用ユニットとして構成されたものであることあるいは制御手段が確認用データを読み出した記憶媒体に対応する制御手段であることを判定した場合」という記載は、「確認用データを読み出した記憶媒体が、読出手段が専用ユニットとして構成されている記憶媒体であることあるいは確認用データを読み出した記憶媒体が制御手段に対応する記憶媒体であることを判定した場合」という概念を含んでいる。
態様１０の遊技機では、記憶媒体に書き込まれている確認用データから判定データを作成する判定データ作成手段と、作成した判定データに基づいて、記憶手段と読出手段との対応関係あるいは記憶手段と制御手段との対応関係が予め定められている対応関係と一致することを判定した場合に制御手段による遊技動作の制御を許可する判定手段を設けている。
態様１０の遊技機を用いれば、確認用データから判定用データを作成しているため、より確実に不正を防止することができる。なお、記憶媒体と読出手段との対応関係が予め定められている対応関係と一致しないことを報知する報知手段を設けるのが好ましい。
また、「（態様１１）請求項１、態様１〜１０のいずれかの遊技機であって、前記記憶媒体には、遊技の進行に伴って演出を実行するための演出用データが書き込まれている、遊技機。」として構成することができる。
態様１１の遊技機では、記憶媒体には演出用データが書き込まれている。
態様１１の遊技機を用いれば、種々の演出を実行することができる。遊技機では、演出用データの量が多いため、本発明を用いることによる効果が高い。
【図面の簡単な説明】
【００２７】
【図１】本発明の一実施の形態の概略構成図である。
【図２】パチンコ機の概略図である。
【図３】制御基板を箱体に収容した状態を示す図である。
【図４】従来の遊技機の概略構成図である。
【符号の説明】
【００２８】
１０  主制御基板
１１  主制御回路（主制御手段）
２０  表示制御基板
２１  表示制御回路（表示制御手段）
２４  データ変換回路
２５  読出装置（読出手段）
２５ａ  ＤＶＤ−ＲＯＭ（光学式記憶媒体）
２６  表示装置（表示手段）
３０音制御基板
３１音制御回路（音制御手段）
３６  スピーカ（音発生手段）
４０  ランプ制御基板
４１  ランプ制御回路（ランプ制御手段）
４６  ランプ（光発生手段）
５１  外枠
５２  内枠
６０箱体
６０ａ  ケース部
６０ｂ  カバー部
６１  封印部
６２ａ、６２ｂ  封印ボス部
６３ａ、６３ｂ  ビス保持部
６４  挿通部
６５  位置決めピン
７０  不正防止部材
Ｌ  接続ケーブル
Ｃ１、Ｃ２  コネクタ
【図１】
2005087319.tif 000003
【図２】
2005087319.tif 000004
【図３】
2005087319.tif 000005
【図４】
2005087319.tif 000006